(57)【要約】【課題】印刷装置による印刷の印刷品質が低下することを抑制する。【解決手段】ホストコンピューター３は、印刷データを所定単位で分割して送信し、印刷装置１は、第１のプロセッサーにより、分割された印刷データを受信し、分割された印刷データに基づいて画像データを生成する画像データ生成処理と生成した画像データを送信する画像データ転送処理とを実行し、また、１の画像データ生成処理と次の画像データ生成処理との間で、所定の待機期間の間、画像データ生成処理に対する第１のプロセッサーの割り当てを停止する。【選択図】図３
2016122224.tif 000002
【特許請求の範囲】
【請求項１】
第１の印刷データを所定単位で分割して送信する制御装置と、
記録媒体に印刷する印刷部、
第１のプロセッサーにより、分割された第２の印刷データを受信し、分割された前記第２の印刷データに基づいて画像データを生成する画像データ生成処理と生成した前記画像データを送信する画像データ転送処理とを実行可能な画像データ処理部、及び、
第２のプロセッサーにより、前記画像データ処理部から前記画像データの転送を受け付け、前記画像データに基づいて前記印刷部を制御して印刷を実行する印刷制御部を有する印刷装置と、を備え、
前記印刷装置の前記画像データ処理部は、
１の分割された前記第２の印刷データに基づいて前記画像データを生成する前記画像データ生成処理と、当該１の分割された前記第２の印刷データの次の分割された前記第２の印刷データに基づいて前記画像データを生成する前記画像データ生成処理との間で、所定の待機時間の間、前記画像データ生成処理に対する前記第１のプロセッサーの割り当てを停止する
ことを特徴とする印刷システム。
【請求項２】
前記印刷装置の前記画像データ処理部は、
前記画像データ転送処理の状況に応じて、前記待機時間の長さを調整することを特徴とする請求項１に記載の印刷システム。
【請求項３】
前記第２の印刷データは、圧縮された圧縮画像データを含み、
前記制御装置は、
分割された前記圧縮画像データのサイズが、所定の大きさよりも小さくなるように、前記圧縮画像データを分割することを特徴とする請求項１又は２に記載の印刷システム。
【請求項４】
前記画像データ生成処理は、前記圧縮画像データを復元する処理を含むことを特徴とする請求項３に記載の印刷システム。
【請求項５】
前記第１のプロセッサーは、前記画像データ転送処理と、前記画像データ生成処理と、を時分割で交互に実行することにより、前記第１の印刷データに基づく前記第２の印刷データの転送処理を実行する期間において、前記画像データ転送処理と、前記画像データ生成処理と、を並行して実行する
ことを特徴とする請求項１から４に記載のいずれかに記載の印刷システム。
【請求項６】
制御装置で、第１の印刷データを所定単位で分割して送信し、
印刷装置で、第１のプロセッサーにより、分割された第２の印刷データを受信し、分割された前記第２の印刷データに基づいて画像データを生成する画像データ生成処理と生成した前記画像データを送信する画像データ転送処理とを実行し、また、１の前記画像データ生成処理と次の前記画像データ生成処理との間で、所定の待機期間の間、前記画像データ生成処理に対する前記第１のプロセッサーの割り当てを停止する
ことを特徴とする印刷方法。
【請求項７】
記録媒体に印刷する印刷部と、
第１のプロセッサーにより、外部装置から分割された印刷データを受信し、分割された前記印刷データに基づいて画像データを生成する画像データ生成処理と生成した前記画像データを送信する画像データ転送処理とを実行可能な画像データ処理部と、
第２のプロセッサーにより、前記画像データ処理部から前記画像データを受信し、前記画像データに基づいて前記印刷部を制御して印刷を実行する印刷制御部と、を備え、
前記画像データ処理部は、
１の分割された前記印刷データに基づいて前記画像データを生成する前記画像データ生成処理と、当該１の分割された前記印刷データの次の分割された前記印刷データに基づいて前記画像データを生成する前記画像データ生成処理との間で、所定の待機時間の間、前記画像データ生成処理に対する前記第１のプロセッサーの割り当てを停止する
ことを特徴とする印刷装置。
【発明の詳細な説明】
【技術分野】
【０００１】
本発明は、印刷システム、印刷方法、及び、印刷装置に関する。
【背景技術】
【０００２】
従来、半導体画像メモリーの残容量に応じて、画像データを展開する処理の実行を調整して印刷を実行する印刷装置（画像形成装置）が知られている（例えば、特許文献１参照）。
【先行技術文献】
【特許文献】
【０００３】
【特許文献１】特開２００４−２７６４４８号公報
【発明の概要】
【発明が解決しようとする課題】
【０００４】
特許文献１に係る印刷装置のように、画像データを処理し、印刷を実行する装置では、例えば画像データの転送の遅延に起因して、印刷ヘッドの印刷走査の途中で画像データの転送待ち状態で印刷ヘッドが停止してしまうことによる印刷品質の低下を抑制する必要がある。
本発明は、上述した事情に鑑みてなされたものであり、印刷装置による印刷の印刷品質が低下することを抑制する印刷システム、印刷方法、及び、印刷装置を提供することを目的とする。
【課題を解決するための手段】
【０００５】
上記目的を達成するために、本発明の印刷システムは、第１の印刷データを所定単位で分割して送信する制御装置と、記録媒体に印刷する印刷部、第１のプロセッサーにより、分割された第２の印刷データを受信し、分割された前記第２の印刷データに基づいて画像データを生成する画像データ生成処理と生成した前記画像データを送信する画像データ転送処理とを実行可能な画像データ処理部、及び、第２のプロセッサーにより、前記画像データ処理部から前記画像データの転送を受け付け、前記画像データに基づいて前記印刷部を制御して印刷を実行する印刷制御部を有する印刷装置と、を備え、前記印刷装置の前記画像データ処理部は、１の分割された前記第２の印刷データに基づいて前記画像データを生成する前記画像データ生成処理と、当該１の分割された前記第２の印刷データの次の分割された前記第２の印刷データに基づいて前記画像データを生成する前記画像データ生成処理との間で、所定の待機時間の間、前記画像データ生成処理に対する前記第１のプロセッサーの割り当てを停止することを特徴とする。
本発明の構成によれば、印刷装置による印刷の印刷品質が低下することを抑制できる。
【０００６】
また、本発明の印刷システムは、前記印刷装置の前記画像データ処理部は、前記画像データ転送処理の状況に応じて、前記待機時間の長さを調整することを特徴とする。
本発明の構成によれば、画像データ生成処理の処理効率の向上、及び、画像データ生成処理に要する時間の短縮化を図ることができる。
【０００７】
また、本発明の印刷システムは、前記第２の印刷データは、圧縮された圧縮画像データを含み、前記制御装置は、分割された前記圧縮画像データのサイズが、所定の大きさよりも小さくなるように、前記圧縮画像データを分割することを特徴とする。
本発明の構成によれば、印刷装置の画像データ処理部が画像データ生成処理により圧縮するデータの対象のサイズを適切なものとすることができる。
【０００８】
また、本発明の印刷システムは、前記画像データ生成処理は、前記圧縮画像データを復元する処理を含むことを特徴とする。
本発明の構成によれば、圧縮画像データを復元する処理を含む画像データ生成処理と、画像データ転送処理とを並行して実行する印刷装置について、印刷装置による印刷の印刷品質が低下することを抑制できる。
【０００９】
また、本発明の印刷システムは、前記第１のプロセッサーは、前記画像データ転送処理と、前記画像データ生成処理と、を時分割で交互に実行することにより、前記第１の印刷データに基づく前記第２の印刷データの転送処理を実行する期間において、前記画像データ転送処理と、前記画像データ生成処理と、を並行して実行することを特徴とする。
本発明の構成によれば、第１のプロセッサーは、画像データ転送処理と、画像データ生成処理とを時分割で交互に実行することにより、印刷品質の低下を抑制した上で、これら処理を並行して実行できる。
【００１０】
また、上記目的を達成するために、本発明の印刷方法は、制御装置で、第１の印刷データを所定単位で分割して送信し、印刷装置で、第１のプロセッサーにより、分割された第２の印刷データを受信し、分割された前記第２の印刷データに基づいて画像データを生成する画像データ生成処理と生成した前記画像データを送信する画像データ転送処理とを実行し、また、１の前記画像データ生成処理と次の前記画像データ生成処理との間で、所定の待機期間の間、前記画像データ生成処理に対する前記第１のプロセッサーの割り当てを停止することを特徴とする。
本発明の構成によれば、印刷装置による印刷の印刷品質が低下することを抑制できる。
【００１１】
また、上記目的を達成するために、本発明の印刷装置は、記録媒体に印刷する印刷部と、第１のプロセッサーにより、外部装置から分割された印刷データを受信し、分割された前記印刷データに基づいて画像データを生成する画像データ生成処理と生成した前記画像データを送信する画像データ転送処理とを実行可能な画像データ処理部と、第２のプロセッサーにより、前記画像データ処理部から前記画像データを受信し、前記画像データに基づいて前記印刷部を制御して印刷を実行する印刷制御部と、を備え、前記画像データ処理部は、１の分割された前記印刷データに基づいて前記画像データを生成する前記画像データ生成処理と、当該１の分割された前記印刷データの次の分割された前記印刷データに基づいて前記画像データを生成する前記画像データ生成処理との間で、所定の待機時間の間、前記画像データ生成処理に対する前記第１のプロセッサーの割り当てを停止することを特徴とする。
本発明の構成によれば、印刷装置による印刷の印刷品質が低下することを抑制できる。
【図面の簡単な説明】
【００１２】
【図１】本実施形態に係る印刷装置の構成を示す図。
【図２】ロール紙を示す図。
【図３】印刷システムの各装置の機能的構成を示す図。
【図４】印刷装置の要部を示すブロック図。
【図５】ホストコンピューター、印刷装置の動作を示すフローチャート。
【図６】印刷装置の動作を示すフローチャート。
【図７】ＤＲＡＭの記憶領域を示す図。
【図８】プロセスによるプロセッサーの使用率を示す図。
【図９】印刷装置の動作を示すフローチャート。
【発明を実施するための形態】
【００１３】
以下、図面を参照して本発明の実施形態について説明する。
図１は、本実施形態に係る印刷装置１の要部の構成を示す図である。
図１を用いた説明では、矢印で示すように、図中で左へ向かう方向を「前方」とし、図中で右へ向かう方向を「後方」とし、図中で上へ向かう方向「上方」とし、図中で下へ向かう方向を「下方」とする。
印刷装置１は、シリアルインクジェットプリンターである。印刷装置１は、ロール紙Ｒ（記録媒体）を収容し、ロール紙Ｒを繰り出して搬送方向Ｈに搬送する。印刷装置１は、搬送するロール紙Ｒに、シリアルインクジェットヘッドとして構成されたシリアルヘッド１０によりインクを吐出して印刷を実行する。
【００１４】
図２は、印刷装置１に収容されるロール紙Ｒの一例を示す図である。
図２に示すロール紙Ｒは、帯状の剥離紙Ｒ１に、間隔をあけて複数のラベルＲ２が貼付されたラベル用紙である。ラベルＲ２の裏面は、シールとなっており、ラベルＲ２は枠に沿って剥離紙Ｒ１から取り剥がすことができる。ラベルＲ２の長手方向の長さは一定である。また、隣接するラベルＲ２の間隔は一定である。
ロール紙Ｒにおいて、ラベルＲ２に対応する領域が、画像の印刷が可能な領域（ドットの形成が可能な領域）である。印刷装置１は、ラベルＲ２にドットを形成して、ドットの組み合わせにより画像を印刷する。
図２に示すように、ロール紙Ｒの裏面には、ラベルＲ２のそれぞれに対応して、黒色のマークであるブラックマークＢＭが形成される。
印刷装置１は、後述するホストコンピューター３の制御に従って、複数のラベルＲ２に連続して画像を印刷することができる。
【００１５】
図１に示すように、印刷装置１は、ロール紙Ｒを収容するロール紙収容部１１を備える。以下の説明では、ロール紙Ｒのうち、ロール紙収容部１１に収容されたロール状の部分を「ロール体ＲＢ」と表現する。また、ロール紙Ｒのうち、ロール紙収容部１１に収容されたロール体ＲＢから繰り出されて搬送される部分を「搬送ロール紙ＲＨ」と表現する。
【００１６】
図１に示すように、印刷装置１には、搬送ロール紙ＲＨが搬送される経路である搬送経路１３が形成される。ロール体ＲＢから繰り出された搬送ロール紙ＲＨは、搬送経路１３に沿って搬送方向Ｈに搬送される。
【００１７】
図１に示すように、搬送経路１３には、搬送方向Ｈにおける上流から下流に向かって３つの搬送ローラー１４１、１４２、１４３が設けられる。搬送ローラー１４１、１４２、１４３のそれぞれに対向する位置には、搬送ローラー１４１、１４２、１４３の回転に従動して回転する従動ローラー１５１、１５２、１５３が設けられる。搬送ロール紙ＲＨは、搬送ローラー１４１、１４２、１４３と、従動ローラー１５１、１５２、１５３とに挟持され、搬送ローラー１４１、１４２、１４３の回転に応じて、搬送方向Ｈに搬送される。搬送ローラー１４１、１４２、１４３は、動力伝達機構を介して搬送モーターと接続されており、搬送モーターの駆動に応じて回転する。
【００１８】
図１に示すように、搬送方向Ｈの最も上流側に設けられた搬送ローラー１４１と、搬送ローラー１４１の下流に設けられた搬送ローラー１４２との間には、案内部材１７が設けられる。案内部材１７は、搬送ロール紙ＲＨの裏面に接触し、上方へ向かって繰り出された搬送ロール紙ＲＨを、前方に向かうように屈曲させる。案内部材１７は、搬送ロール紙ＲＨに接触して屈曲させることにより、搬送ロール紙ＲＨに張りを与え、搬送ロール紙ＲＨの弛みが発生することを抑制する。
【００１９】
搬送ローラー１４２の搬送方向Ｈにおける下流には、ブラックマークセンサー１８が設けられる。ブラックマークセンサー１８は、ロール紙Ｒの裏面に形成されたブラックマークＢＭを光学的に検出するセンサーである。制御部３０（図３）は、ブラックマークセンサー１８の検出値に基づいて、当該センサーの検出位置にブラックマークＢＭが位置した場合、そのことを検出する。制御部３０は、検出結果に基づいて、ロール紙Ｒの位置を管理する。
【００２０】
ブラックマークセンサー１８の搬送方向Ｈにおける下流には、搬送ローラー１４３が設けられ、搬送ローラー１４３の下流には、印刷ユニット１９が設けられる。
印刷ユニット１９は、キャリッジ２０と、キャリッジ２０に搭載されたシリアルヘッド１０とを備える。
キャリッジ２０は、搬送方向Ｈと交わる走査方向Ｙに延びたキャリッジ軸２０ａに支持され、キャリッジ軸２０ａに沿って、走査方向Ｙにシリアルヘッド１０を走査する。
シリアルヘッド１０は、インクジェットヘッドであり、複数色（例えば、ＣＹＭＫの４色）のノズル列を備える。シリアルヘッド１０は、図示しないインクカートリッジからインクの供給を受けて、各ノズル列に設けられたノズルからインクを吐出して搬送ロール紙ＲＨにドットを形成して画像を印刷する。
【００２１】
印刷ユニット１９の搬送方向Ｈにおける下流には、カッターユニット２１が設けられる。カッターユニット２１は、固定刃２２と、固定刃２２に対して交叉するように移動可能な可動刃２３とを備える。カッターユニット２１は、可動刃２３を移動させて、搬送ロール紙ＲＨを切断する。
【００２２】
カッターユニット２１の搬送方向Ｈにおける下流には、排紙口２４が設けられる。搬送ロール紙ＲＨは、排紙口２４を介して、印刷装置１の筐体の外に排出される。
【００２３】
図３は、本実施形態に係る印刷システム２の機能的構成を示すブロック図である。
図３に示すように、印刷システム２は、印刷装置１と、印刷装置１に接続されて印刷装置１を制御するホストコンピューター３（制御装置）とを備える。
【００２４】
図３に示すように、印刷装置１は、制御部３０と、印刷部３１と、入力部３６と、報知部３７と、通信部３８と、記憶部３９と、を備える。
【００２５】
制御部３０は、ＳＯＣ（System on a chip）３０１（集積回路）（図４）や、ＲＯＭ、ＲＡＭ、その他の制御回路を備え、印刷装置１を制御する。制御部３０は、ＳＯＣ３０１に実装された第１プロセッサー部Ｐ１（第１のプロセッサー）や、第２プロセッサー部Ｐ２（第２のプロセッサー）等の機能により、印刷装置１を制御する。ＳＯＣ３０１については後に説明する。
【００２６】
印刷部３１は、印刷機構３１１と、搬送機構３１２と、切断機構３１３とを備える。
印刷機構３１１は、シリアルヘッド１０や、シリアルヘッド１０を駆動するヘッド駆動回路、キャリッジ２０、キャリッジ２０を移動させるキャリッジ移動モーター、キャリッジ移動モーターを駆動するモーター駆動回路等を備える。印刷機構３１１は、制御部３０の制御で、ラベルＲ２にドットを形成して画像を印刷する。
搬送機構３１２は、搬送ローラー１４１、１４２、１４３や、搬送ローラーを回転させる搬送モーター、搬送モーターを駆動するモーター駆動回路等を備える。搬送機構３１２は、制御部３０の制御で、ロール紙Ｒを搬送する。
切断機構３１３は、カッターユニット２１や、カッターユニット２１が有する可動刃２３を移動させるカッター駆動モーター、カッター駆動モーターを駆動するモーター駆動回路等を備える。切断機構３１３は、制御部３０の制御で、ロール紙Ｒを切断する。
【００２７】
入力部３６は、印刷装置１の筐体に設けられた操作スイッチを有する。入力部３６は、操作スイッチに対する操作を検出し、検出した操作を示す信号を制御部３０に出力する。制御部３０は、入力部３６からの入力に応じて、操作に対応する処理を実行する。
【００２８】
報知部３７は、ＬＥＤ部３７１と、表示部３７２と、を備える。
ＬＥＤ部３７１は、複数のＬＥＤを備える。ＬＥＤ部３７１は、制御部３０の制御で、複数のＬＥＤを所定の態様で点灯／消灯し、動作モードや、エラーの発生の有無等の印刷装置１の状態を報知する。
表示部３７２は、液晶表示パネルを備える。表示部３７２は、制御部３０の制御で、表示部３７２に情報を表示する。
【００２９】
通信部３８は、制御部３０の制御で、ホストコンピューター３と所定の通信規格に従って通信する。通信部３８がホストコンピューター３から受信したデータは、受信バッファー３８１（図４）に、順次、格納される。
【００３０】
記憶部３９は、メモリーを備え、各種データを記憶する。記憶部３９は、メモリーとして、ＤＤＲ−ＳＤＲＡＭ（Double Data Rate SDRAM）等のＤＲＡＭ（Dynamic Random Access Memory）３９１（図４）を有する。
【００３１】
また、上述したように、印刷装置１は、ブラックマークセンサー１８を備える。ブラックマークセンサー１８は、所定の周期で、検出値を制御部３０に出力する。制御部３０は、ブラックマークセンサー１８からの入力に基づいて、ブラックマークセンサー１８の検出位置にブラックマークＢＭが位置したことを検出する。
【００３２】
図３に示すように、ホストコンピューター３は、制御装置制御部５０と、制御装置入力部５１と、制御装置表示部５２と、制御装置記憶部５３と、制御装置通信部５４と、を備える。
【００３３】
制御装置制御部５０は、ＣＰＵや、ＲＯＭ、ＲＡＭ、その他の制御回路等を備え、ホストコンピューター３を制御する。
【００３４】
制御装置入力部５１は、キーボードや、マウス等の入力デバイスに接続され、入力デバイスからの入力を検出して、制御装置制御部５０に出力する。制御装置制御部５０は、制御装置入力部５１からの入力に基づいて、入力に対応する処理を実行する。
【００３５】
制御装置表示部５２は、液晶表示パネル等の表示装置に接続され、制御装置制御部５０の制御で、表示装置に各種情報を表示する。
【００３６】
制御装置記憶部５３は、不揮発性メモリーを備え、各種データを記憶する。
【００３７】
制御装置通信部５４は、制御装置制御部５０の制御で、所定の通信規格に従って、印刷装置１と通信する。
【００３８】
図４は、印刷装置１のＳＯＣ３０１を含む要部の構成を示す図である。
図４に示すように、ＳＯＣ３０１は、第１プロセッサー部Ｐ１と、第２プロセッサー部Ｐ２と、を備える。
【００３９】
第１プロセッサー部Ｐ１は、ＳＯＣ３０１に実装された第１のプロセッサーを有し、非リアルタイムＯＳ関連プログラムＬＰＧの機能により、処理を実行する。非リアルタイムＯＳ関連プログラムＬＰＧとは、非リアルタイムＯＳであるＬｉｎｕｘ（登録商標）に係るプログラム、及び、Ｌｉｎｕｘ上で動作するプログラムのことであり、印刷装置１に事前にインストールされる。
第１プロセッサー部Ｐ１は、画像データ処理部Ｐ１１を備える。画像データ処理部Ｐ１１の機能、及び、機能に基づく処理については後述する。
【００４０】
第２プロセッサー部Ｐ２は、ＳＯＣ３０１に実装された第２のプロセッサーを有し、リアルタイムＯＳ関連プログラムＲＰＧの機能により、処理を実行する。リアルタイムＯＳ関連プログラムＲＰＧとは、所定のリアルタイムＯＳに係るプログラム、及び、当該所定のリアルタイムＯＳ上で動作するプログラムのことであり、印刷装置１に事前にインストールされる。
第２プロセッサー部Ｐ２は、印刷制御部Ｐ２１を備える。印刷制御部Ｐ２１の機能、及び、機能に基づく処理については後述する。
【００４１】
図４に示すように、第１プロセッサー部Ｐ１、及び、第２プロセッサー部Ｐ２には、バスＢＵＳを介して、受信バッファー３８１、ＤＲＡＭ３９１、及び、印刷部３１が通信可能に接続される。
【００４２】
次に、ロール紙Ｒの複数のラベルＲ２に連続して画像を印刷するときのホストコンピューター３、及び、印刷装置１の動作について説明する。
以下の説明では、１つのラベルＲ２に印刷する画像のことを「ラベル画像」と表現する。
【００４３】
図５は、ロール紙Ｒの複数のラベルＲ２に連続して画像を印刷するときのホストコンピューター３、及び、印刷装置１の動作を示すフローチャートである。図５（Ａ）はホストコンピューター３の動作を、（Ｂ）は印刷装置１の第１プロセッサー部Ｐ１の動作を、（Ｃ）は印刷装置１の第２プロセッサー部Ｐ２の動作を示す。
【００４４】
ホストコンピューター３の制御装置制御部５０は、連続してラベル画像を印刷する複数のラベルＲ２について、ラベル画像を印刷する順番で、順次、処理対象とする。
図５（Ａ）に示すように、制御装置制御部５０は、処理対象のラベルＲ２に印刷するラベル画像の圧縮画像データを取得する（ステップＳＡ１）。
圧縮画像データは、ラベル画像の画像データを、所定の圧縮アルゴリズムで圧縮したＰＮＧファイル（ファイルフォーマットがＰＮＧ（Portable Network Graphics）のデータ）である。圧縮前のラベル画像の画像データは、画像を構成するドットについて、色に関する情報をＲＧＢごとの諧調値として保持するビットマップデータである。
【００４５】
本実施形態において、ステップＳＡ１で取得した圧縮画像データは、「第１の印刷データ」に相当する。
【００４６】
次いで、制御装置制御部５０は、ステップＳＡ１で取得した圧縮画像データを、分割後の圧縮画像データのサイズが所定の大きさよりも小さくなるように、分割する（ステップＳＡ２）。
以下の説明では、制御装置制御部５０により分割された圧縮画像データのそれぞれを、「分割圧縮画像データ」と表現する。分割圧縮画像データは、「第２の印刷データ」に相当する。
【００４７】
本実施形態において、ステップＳＡ２の処理は、印刷データを所定単位で分割する処理に相当する。
【００４８】
次いで、制御装置制御部５０は、制御装置通信部５４を制御して、分割圧縮画像データのそれぞれを、順番に、印刷装置１に送信する（ステップＳＡ３）。
【００４９】
このように、本実施形態では、制御装置制御部５０は、ラベル画像に係る圧縮画像データについて、そのまま印刷装置１に送信するのではなく、所定単位で分割して分割圧縮画像データを生成し、分割圧縮画像データのそれぞれを送信する。このことによる効果については後述する。
【００５０】
分割圧縮画像データのそれぞれを送信した後、制御装置制御部５０は、処理対象としていないラベルＲ２があるか否かを判別する（ステップＳＡ４）。
処理対象としていないラベルＲ２がある場合（ステップＳＡ４：ＹＥＳ）、制御装置制御部５０は、処理手順をステップＳＡ１へ戻す。
処理対象としていないラベルＲ２がない場合（ステップＳＡ４：ＮＯ）、制御装置制御部５０は、処理を終了する。
【００５１】
図５（Ｂ）に示すように、ホストコンピューター３による分割圧縮画像データの送信に応じて、印刷装置１の通信部３８は、分割圧縮画像データのそれぞれを順番に受信する（ステップＳＢ１）。通信部３８が受信した分割圧縮画像データのそれぞれは、順番に、受信バッファー３８１に格納される。
【００５２】
分割圧縮画像データの受信に応じて、第１プロセッサー部Ｐ１の画像データ処理部Ｐ１１は、画像データ処理を実行する（ステップＳＢ２）。
以下、ステップＳＢ２の画像データ処理について詳述する。
【００５３】
ステップＳＢ２の画像データ処理において、画像データ処理部Ｐ１１は、画像データ解凍処理と、画像データ転送処理とを並行して実行する。画像データ解凍処理は、後述するように、画像データ生成処理を含む。
まず、画像データ解凍処理、及び、画像データ転送処理のそれぞれを説明し、次いで、これら処理を並行して実行することについて説明する。
【００５４】
＜画像データ解凍処理＞
画像データ解凍処理について説明する。
図６は、画像データ解凍処理の実行時の画像データ処理部Ｐ１１の動作を示すフローチャートである。
画像データ解凍処理において、第１プロセッサー部Ｐ１の画像データ処理部Ｐ１１は、受信バッファー３８１に格納された分割圧縮画像データのそれぞれについて、当該バッファーに格納された順番に処理対象としていく。
【００５５】
図６に示すように、画像データ処理部Ｐ１１は、受信バッファー３８１から処理対象の分割圧縮画像データを読み出す（ステップＳＤ１）。
【００５６】
次いで、画像データ処理部Ｐ１１は、読み出した分割圧縮画像データを、解凍して対応する画像データ（ビットマップデータ）を生成する画像データ生成処理を実行する（ステップＳＤ２）。
以下、ステップＳＤ２の画像データ生成処理により、分割圧縮画像データを解凍して生成される画像データを「分割解凍画像データ」と表現する。
【００５７】
ステップＳＤ２の画像データ生成処理は、以下のようにして行われる。
すなわち、画像データ処理部Ｐ１１は、Ｌｉｎｕｘで動作する所定のライブラリー（以下、「専用ライブラリー」という。）の機能で、分割圧縮画像データに基づく分割解凍画像データを生成する。
専用ライブラリーは、分割圧縮画像データを入力とし、分割解凍画像データを出力とするプログラムである。専用ライブラリーは、入力された分割圧縮画像データについて、所定の解凍アルゴリズムに従ってデータの解凍を行って分割解凍画像データを生成し、生成した分割解凍画像データを出力する機能を有する。
【００５８】
ステップＳＤ２において、画像データ処理部Ｐ１１は、専用ライブラリーを呼び出す。専用ライブラリーの呼び出しに応じて、対応するプロセス（以下、「画像データ生成処理プロセス」という。）が立ち上がり、当該プロセスに第１プロセッサーの割り当てが行われる。
次いで、画像データ処理部Ｐ１１は、ステップＳＤ１で受信バッファー３８１から読み出した分割圧縮画像データを専用ライブラリーに出力する。専用ライブラリーは、入力された分割圧縮画像データを解凍して分割解凍画像データを生成し、画像データ処理部Ｐ１１に出力する。
【００５９】
ここで、専用ライブラリーは、以下の特性がある。すなわち、専用ライブラリーは、圧縮された画像データの入力があった場合、当該画像データを解凍し、解凍後の画像データを出力するまでの間、プロセッサー（第１のプロセッサー）を、対応するプロセス（画像データ生成処理プロセス）によって占有的に使用する、という特性を有する。従って、ステップＳＤ２で、専用ライブラリーに分割圧縮画像データが入力された後、専用ライブラリーが分割解凍画像データを出力するまでの間、画像データ生成処理プロセスにより、第１のプロセッサーが占有的に使用される。
【００６０】
分割圧縮画像データに基づく分割解凍画像データの生成後、画像データ処理部Ｐ１１は、専用ライブラリーの呼び出しを解除し、画像データ生成処理プロセスを停止する（ステップＳＤ３）。
【００６１】
次いで、画像データ処理部Ｐ１１は、ＤＲＡＭ３９１の所定の記憶領域に、生成した分割解凍画像データを格納する（ステップＳＤ４）。
【００６２】
図７は、ＤＲＡＭ３９１の記憶領域を模式的に示す図である。
図７に示すように、ＤＲＡＭ３９１の記憶領域は、第１プロセッサー領域Ａ１と、共有領域Ａ２と、第２プロセッサー領域Ａ３との３つの領域に分かれる。
第１プロセッサー領域Ａ１は、第１プロセッサー部Ｐ１がデータの書き込み、及び、読み出しを実行することが可能な記憶領域である。
共有領域Ａ２は、第１プロセッサー部Ｐ１、及び、第２プロセッサー部Ｐ２の双方が、データの書き込み、及び、読み出しを実行することが可能な記憶領域である。
第２プロセッサー領域Ａ３は、第２プロセッサー部Ｐ２がデータの書き込み、及び、読み出しを実行することが可能な領域である。
【００６３】
ステップＳＤ４において、画像データ処理部Ｐ１１は、ＤＲＡＭ３９１の第１プロセッサー領域Ａ１に以下の態様で分割解凍画像データを格納する。
すなわち、１つ目に処理対象とした分割圧縮画像データに基づく分割解凍画像データについては、第１プロセッサー領域Ａ１の所定の領域に、分割圧縮画像データを格納する。２つ目以降に処理対象とした分割圧縮画像データに基づく分割解凍画像データについては、１つ前に格納した分割解凍画像データが格納された領域に連続する領域に、分割解凍画像データを格納する。
このようして分割解凍画像データが第１プロセッサー領域Ａ１に格納されることにより、１つのラベル画像に係る全ての分割圧縮画像データに基づいて、分割解凍画像データが第１プロセッサー領域Ａ１に格納されると、当該領域において分割解凍画像データのそれぞれが連続し、当該１つのラベル画像に対応するビットマップデータの画像データ（以下、「ラベル画像データ」という。）を構成する。
【００６４】
分割解凍画像データを第１プロセッサー領域Ａ１に格納した後、画像データ処理部Ｐ１１は、処理対象としていない分割圧縮画像データがあるか否か（＝受信バッファー３８１から読み出していない分割圧縮画像データがあるか否か）を判別する（ステップＳＤ５）。
【００６５】
処理対象としていない分割圧縮画像データがない場合（ステップＳＤ５：ＹＥＳ）、画像データ処理部Ｐ１１は、画像データ転送処理を実行する（ステップＳＤ６）。画像データ転送処理については後述する。
【００６６】
処理対象としていない分割圧縮画像データがある場合（ステップＳＤ５：ＮＯ）、画像データ処理部Ｐ１１は、所定の待機時間ＴＴ１の間、受信バッファー３８１に格納された分割圧縮画像データの読み出し、及び、分割圧縮画像データの読み出しに伴う専用ライブラリーの呼び出しを実行せずに、待機する（ステップＳＤ７）。
ステップＳＤ７の処理が実行される結果、少なくとも、所定の待機期間の間、専用ライブラリーに基づく画像データ生成処理プロセスに対して、第１のプロセッサーの割り当てが停止された状態となる。
なお、待機時間ＴＴ１の長さについては、後述する。
【００６７】
所定の待機時間ＴＴ１の間、待機した後、画像データ処理部Ｐ１１は、処理手順をステップＳＤ１へ戻し、次に処理対象とすべき分割圧縮画像データの読み出しを実行する。
【００６８】
以上のように、本実施形態では、専用ライブラリーに基づく画像データ生成処理プロセスによる画像データ生成処理と、画像データ生成処理との間に、当該プロセスに第１のプロセッサーの割り当てを行わない期間を設けている。この結果、画像データ生成処理プロセスによる第１のプロセッサーの使用の態様は、例えば、以下のようになる。
図８（Ａ）は、時間の経過を横軸として、画像データ生成処理プロセスによる第１のプロセッサーの使用率を説明に適した態様で模式的に示す図である。
図８（Ａ）は、１つのラベル画像に係る分割圧縮画像データが、第１分割圧縮画像データ〜第４分割圧縮画像データの４つ存在し、画像データ生成処理プロセスにより、４つの第１〜第４分割圧縮画像データに基づいて、順次、４つの分割解凍画像データ（第１〜第４分割解凍画像データ）を生成する場合を例にして、当該プロセスによる第１のプロセッサーの使用率を表す。
【００６９】
図８（Ａ）に示すように、タイミングＴ１と、タイミングＴ２との間の期間（以下、「タイミングＴ１−Ｔ２期間」と表現する。以下、図８に示された１のタイミングと他のタイミングとの間の期間についても同様に表現する。）において、画像データ生成処理プロセスに第１のプロセッサーが割り当てられ、第１分割圧縮画像データに基づいて第１分割解凍画像データが生成される。
次いで、ステップＳＤ７の処理が実行されて、タイミングＴ２−Ｔ３期間において、画像データ生成処理プロセスに対する第１のプロセッサーの割り当てが停止される。
次いで、タイミングＴ３−Ｔ４期間で画像データ生成処理プロセスへの第１のプロセッサーの割り当てが行われ、第２分割圧縮画像データに基づいて第２分割解凍画像データが生成される。
次いで、タイミングＴ４−Ｔ５期間において、画像データ生成処理プロセスに対する第１のプロセッサーの割り当てが停止される。
次いで、タイミングＴ５−Ｔ６期間で画像データ生成処理プロセスへの第１のプロセッサーの割り当てが行われ、第３分割圧縮画像データに基づいて第３分割解凍画像データが生成される。
次いで、タイミングＴ６−Ｔ７期間において、画像データ生成処理プロセスに対する第１のプロセッサーの割り当てが停止される。
次いで、タイミングＴ７−Ｔ８期間で画像データ生成処理プロセスへの第１のプロセッサーの割り当てが行われ、第４分割圧縮画像データに基づいて第４分割解凍画像データが生成される。
このように、画像データ生成プロセスによる画像データ生成処理と、画像データ生成処理との間に、当該プロセスに割り当てを行わない期間を設けたことによる効果については後述する。
【００７０】
＜画像データ転送処理＞
次に、画像データ転送処理について説明する。
図９は、画像データ転送処理の実行時における第１プロセッサー部Ｐ１の画像データ処理部Ｐ１１、及び、第２プロセッサー部Ｐ２の印刷制御部Ｐ２１の動作を示すフローチャートであり、（Ａ）は画像データ処理部Ｐ１１の動作を、（Ｂ）は印刷制御部Ｐ２１の動作を示す。
【００７１】
上述したように、画像データ転送処理は、１つのラベル画像に係る分割圧縮画像データの全てに基づく分割解凍画像データの生成が完了し、第１プロセッサー領域Ａ１の所定の領域に、当該１つのラベル画像に対応する画像データ（ラベル画像データ）が格納されたことをトリガーとして実行が開始される。
【００７２】
画像データ転送処理において、画像データ処理部Ｐ１１は、画像データ転送処理を実行するプロセス（以下、「画像データ転送処理プロセス」という。）を立ち上げる。そして、画像データ処理部Ｐ１１は、画像データ転送処理プロセスにより、第１プロセッサー領域Ａ１に格納されたラベル画像データについて、共有領域Ａ２のサイズに対応するサイズごとのデータを、順次、処理対象とし、図９（Ａ）のフローチャートに示す処理を実行する。
【００７３】
図９（Ａ）に示すように、画像データ処理部Ｐ１１は、第１プロセッサー領域Ａ１に格納されたラベル画像データについて、未転送のラベル画像データのうち、共有領域Ａ２のサイズに対応するサイズ分のデータ（以下、「転送画像データ」という。）を処理対象とし、処理対象の転送画像データを読み出す。
【００７４】
次いで、画像データ処理部Ｐ１１は、ステップＳＥ１で読み出した転送画像データを、共有領域Ａ２に書き込む（ステップＳＥ２）。
次いで、画像データ処理部Ｐ１１は、印刷制御部Ｐ２１とプロセッサー間通信し、共有領域Ａ２に、転送画像データを書き込んだことを、印刷制御部Ｐ２１に通知する（ステップＳＥ３）。
【００７５】
次いで、画像データ処理部Ｐ１１は、第１プロセッサー領域Ａ１に格納されたラベル画像データについて、未転送のラベル画像データがあるか否かを判別する（ステップＳＥ４）。
未転送のラベル画像データがない場合（ステップＳＥ４：ＮＯ）、画像データ処理部Ｐ１１は、処理を終了する。
未転送のラベル画像データがある場合（ステップＳＥ４：ＹＥＳ）、画像データ処理部Ｐ１１は、処理手順をステップＳＥ１に戻し、転送画像データの読み出しを実行する。
【００７６】
図９（Ｂ）に示すように、ステップＳＥ３で画像データ処理部Ｐ１１が出力した通知を受けると、印刷制御部Ｐ２１は、共有領域Ａ２に書き込まれた転送画像データを読み出す（ステップＳＦ１）。
ついで、印刷制御部Ｐ２１は、共有領域Ａ２から読み出した転送画像データを、第２プロセッサー領域Ａ３の所定の記憶領域に格納する（ステップＳＦ２）。
ステップＳＦ２において、印刷制御部Ｐ２１は、第２プロセッサー領域Ａ３に以下の態様で転送画像データを格納する。
すなわち、１回目のステップＳＥ２の通知に基づいて共有領域Ａ２から読み出した転送画像データについては、第２プロセッサー領域Ａ３の所定の領域に転送画像データを格納する。２回目以降のステップＳＥ２の通知に基づいて共有領域Ａ２から読み出した転送画像データについては、１つ前に格納した転送画像データが格納された領域に連続する領域に、転送画像データを格納する。
【００７７】
このように、画像データ転送処理では、ＤＲＡＭ３９１の共有領域を介して、第１プロセッサー領域Ａ１に格納されたラベル画像データが、第２プロセッサー領域Ａ３に格納される。
以下、ＤＲＡＭ３９１の共有領域を介して、第１プロセッサー領域Ａ１に格納されたラベル画像データを、第２プロセッサー領域Ａ３に格納することを、適宜、「第１プロセッサー部Ｐ１から第２プロセッサー部Ｐ２へラベル画像データを転送する」と表現する。
【００７８】
＜図５（Ｂ）のステップＳＢ２の画像データ処理において、画像データ解凍処理、及び、画像データ転送処理が並行して実行されることについての説明＞
画像データ処理部Ｐ１１は、以下の場合に、上記で説明した画像データ解凍処理と、画像データ転送処理とを、同一の期間で並行して実行する。
すなわち、１のラベル画像に係るラベル画像データについて画像データ転送処理を実行中に、印刷装置１がホストコンピューター３から次のラベル画像に係る分割圧縮画像データのそれぞれを受信した場合である。
このような場合に、１のラベルの画像データ転送処理と次のラベルの画像データ解凍処理とで、第１プロセッサーを時分割で使用する。このことにより解凍処理が終了した１のラベルの画像データ転送の処理を実行する期間においては、画像データ転送処理と次のラベルの画像データ解凍処理とを並行して実行される。
【００７９】
画像データ解凍処理と、画像データ転送処理とを並行して実行している間、画像データ転送処理プロセスによる第１のプロセッサーの使用の態様は、例えば、以下のようになる。
図８（Ｂ）は、時間の経過を横軸として、画像データ転送処理プロセスによる第１のプロセッサーの使用率を説明に適した態様で模式的に示す図である。
図８（Ａ）の横軸で示す時間の経過と、図８（Ｂ）の横軸で示す時間の経過とは、同期が取られており、例えば、図８（Ａ）に示すタイミングＴ１と、図８（Ｂ）に示すタイミングＴ１とは、同一のタイミングである。
【００８０】
図８において、タイミングＴ１−Ｔ８期間が、画像データ解凍処理と、画像データ転送処理とが並行して実行される期間である。
上述したように、画像データ解凍処理において、１の画像データ生成処理と、次の画像データ処理との間には、画像データ生成処理プロセスに第１のプロセッサーの割り当てが行われない期間が設けられる。
この結果、画像データ生成処理プロセスへの第１のプロセッサーの割り当てが行われない期間において、画像データ転送処理への第１のプロセッサーの割り当てが可能となり、当該期間において、画像データ転送処理への第１のプロセッサーの割り当てが行われる。
図８（Ｂ）の例では、タイミングＴ２−Ｔ３期間、タイミングＴ４−Ｔ５期間、及び、タイミングＴ６−Ｔ７期間について、画像データ転送処理への第１のプロセッサーの割り当てが可能となり、当該期間において、画像データ転送処理への第１のプロセッサーの割り当てが行われる。
【００８１】
このように、１の画像データ生成処理と次の画像データ処理との間に、画像データ生成処理プロセスに第１のプロセッサーの割り当てが行われない期間が設けられ、当該期間に画像データ転送処理プロセスへの第１のプロセッサーの割り当てが行われる。これにより、以下の効果を奏する。
すなわち、従来は、ホストコンピューター３は、印刷装置１に対して、１つのラベル画像に係る圧縮画像データを分割することなく送信していた。そして、印刷装置１の画像データ処理部Ｐ１１は、専用ライブラリーに基づく画像データ生成処理プロセスにより、分割されていない圧縮画像データを一連の処理で解凍していた。上述したように、専用ライブラリーは、圧縮された画像データの入力があった場合、当該画像データを解凍し、解凍後の画像データを出力するまでの間、第１のプロセッサーを、画像データ生成処理プロセスによって占有的に使用する、という特性を有する。従って、従来は、専用ライブラリーの機能により分割されていない圧縮画像データの解凍が行われている間、画像データ生成処理プロセスによって第１のプロセッサーが占有的に使用され、画像データ転送処理プロセスに第１のプロセッサーの割り当てを行うことができなかった。このため、従来、画像データ解凍処理の実行に起因して、第１プロセッサー部Ｐ１から第２プロセッサー部Ｐ２へのラベル画像データの転送の遅延が発生する場合があった。ラベル画像データの転送の遅延が発生した場合、印刷部３１による画像の印刷について間欠印字、及び、間欠印字に伴う白スジの発生による印刷品質の低下が発生する可能性があった。
【００８２】
一方、本実施形態では、画像データ解凍処理の実行中にも、画像データ転送処理プロセスへの第１のプロセッサーの割り当てを行うことが可能となるため、画像データ解凍処理が実行されることに起因した、第１プロセッサー部Ｐ１から第２プロセッサー部Ｐ２へのラベル画像データの転送の遅延を抑制でき、印刷品質の低下を抑制できる。
【００８３】
＜待機時間ＴＴ１の長さの説明＞
ここで、待機時間ＴＴ１の長さについて説明する。
印刷装置１は、動作モードとして、待機時間ＴＴ１の長さが予め定められる第１モードと、待機時間ＴＴ１の長さが動的に決定される第２モードとを有する。
【００８４】
第１モードでは、印刷装置１の印刷の印刷品質の低下を抑制するという観点で、事前の実験や、シミュレーションの下、待機時間ＴＴ１の長さが予め定められる。
【００８５】
第２モードでは、画像データ解凍処理と並行して実行される画像データ転送処理の負荷の状況に応じて、待機時間ＴＴ１の長さが動的に決定される。すなわち、第２モードでは、画像データ処理部Ｐ１１は、画像データ転送処理の状況に応じて、待機時間ＴＴ１の長さを調整する。
例えば、画像データ処理部Ｐ１１は、画像データ転送処理によって第１プロセッサー部Ｐ１から第２プロセッサー部Ｐ２に転送すべきラベル画像データのうち、転送が完了していないデータが多ければ多いほど、待機時間ＴＴ１の長さが長くなるように、待機時間ＴＴ１の長さを動的に決定する。転送が完了していないラベル画像データのデータ量と、待機時間ＴＴ１の長さとの関係は、印刷装置１の印刷の印刷品質の低下を抑制するという観点で、事前の実験や、シミュレーションの下、定められる。
第２モードによれば、待機時間ＴＴ１が不必要に長くなることを防止でき、画像データ解凍処理（画像データ生成処理）の処理効率の向上、及び、画像データ解凍処理（画像データ生成処理）に要する時間の短縮化を図ることができる。
【００８６】
さて、図５（Ｃ）に示すように、第１プロセッサー部Ｐ１から第２プロセッサー部Ｐ２へのラベル画像データの転送が完了すると、印刷制御部Ｐ２１は、以下の処理を実行する（ステップＳＣ１）。すなわち、印刷制御部Ｐ２１は、ラベル画像データについて解像度変換処理や、色補正処理、ハーフトーン処理、ラスタライズ処理等の必要な処理を行って、インク量データを生成する。インク量データは、ラベルＲ２に印刷する画像を構成する各ドットについて、印刷装置１が備えるインクの色ごとのインクの吐出量を諧調値で示すデータである。次いで、印刷制御部Ｐ２１は、インク量データを図示しないバッファーに展開し、展開したインク量データに基づいて、印刷部３１を制御して、ラベルＲ２へのラベル画像の印刷を実行する。
【００８７】
以上説明したように、本実施形態に係る印刷システム２は、ホストコンピューター３（制御装置）と、印刷装置１とを備える。
ホストコンピューター３は、圧縮画像データ（印刷データ）を所定単位で分割して送信する。
また、印刷装置１は、ロール紙Ｒ（記録媒体）に印刷する印刷部３１を備える。また、印刷装置１は、第１プロセッサー部Ｐ１が有する第１のプロセッサーにより、分割圧縮画像データを受信し、分割圧縮画像データに基づいて分割解凍画像データを生成する画像データ生成処理と生成した分割解凍画像データを第２プロセッサー部Ｐ２に送信する画像データ転送処理とを並行して実行可能な画像データ処理部Ｐ１１を備える。また、印刷装置１は、第２プロセッサー部Ｐ２が有する第２のプロセッサーにより、画像データ処理部Ｐ１１から分割解凍画像データにより構成されるラベル画像データの転送を受け付け、ラベル画像データに基づいて印刷部３１を制御して印刷を実行する印刷制御部Ｐ２１を備える。そして、印刷装置１の画像データ処理部Ｐ１１は、１の画像データ生成処理と、次の画像データ生成処理との間で、所定の待機時間の間、画像データ生成処理に対する第１のプロセッサーの割り当てを停止する。
この構成によれば、画像データ生成処理への第１のプロセッサーの割り当てが行われない期間において、画像データ転送処理への第１のプロセッサーの割り当てが可能となり、当該期間において、画像データ転送処理への第１のプロセッサーの割り当てが行われる。これにより、画像データ解凍処理が実行されることに起因した、第１プロセッサー部Ｐ１から第２プロセッサー部Ｐ２へのラベル画像データの転送の遅延を抑制でき、印刷品質の低下を抑制できる。
【００８８】
また、本実施形態では、第２モードにおいて、画像データ処理部Ｐ１１は、画像データ転送処理の状況に応じて、待機時間ＴＴ１の長さを調整する。
この構成によれば、待機時間ＴＴ１が不必要に長くなることを防止でき、画像データ解凍処理の処理効率の向上、及び、画像データ解凍処理に要する時間の短縮化を図ることができる。
【００８９】
また、本実施形態では、ホストコンピューター３は、分割された圧縮画像データのサイズが、所定の大きさよりも小さくなるように、圧縮画像データを分割する。
この構成によれば、印刷装置１が、解凍の対象とする分割圧縮画像データのサイズを所定の大きさよりも小さい適切なサイズとし、画像データ生成処理プロセスが不必要に長く第１のプロセッサーを占有することを防止できる。
【００９０】
なお、上述した実施の形態は、あくまでも本発明の一態様を示すものであり、本発明の範囲内で任意に変形および応用が可能である。
例えば、上述した実施形態では、画像データ生成処理は、圧縮された画像データを解凍する処理であった。しかしながら、画像データ生成処理は、圧縮された画像データを解凍する処理に限らず、例えば、印刷データとしての制御コマンドに基づいて画像データを生成する処理や、文字コードをフォントデータに変換して画像データを生成する処理等の、他の処理であってもよい。
また例えば、上述した実施形態では、印刷装置１は、インクジェット式のプリンターであったが、印刷装置１の印刷方式はインクジェット式に限らず、サーマル式、ドットインパクト式等の他の方式であってもよい。
また例えば、上述した実施形態では、印刷装置１がロール紙ＲのラベルＲ２に画像を印刷する場合を例示したが、印刷装置１が画像を印刷する記録媒体の種類や、記録媒体への印刷の方法は、例示したものに限らない。
また例えば、図を用いて説明した各機能ブロックはハードウェアとソフトウェアにより任意に実現可能であり、特定のハードウェア構成を示唆するものではない。
【符号の説明】
【００９１】
１…印刷装置、２…印刷システム、３…ホストコンピューター（制御装置）、３１…印刷部、Ｐ１…第１プロセッサー部（第１のプロセッサー）、Ｐ１１…画像データ処理部、Ｐ２…第２プロセッサー部（第２のプロセッサー）、Ｐ２１…印刷制御部、Ｒ…ロール紙（記録媒体）。
【図１】
2016122224.tif 000003
【図２】
2016122224.tif 000004
【図３】
2016122224.tif 000005
【図４】
2016122224.tif 000006
【図５】
2016122224.tif 000007
【図６】
2016122224.tif 000008
【図７】
2016122224.tif 000009
【図８】
2016122224.tif 000010
【図９】
2016122224.tif 000011